(57)【特許請求の範囲】
【請求項１】
第１の電極と、前記第１の電極と対向する第２の電極と、前記第１の電極と前記第２の電極とで挟持され帯電した電気泳動粒子を有する電気泳動素子とを備えた画素を平面的に配列してなり、
前記電気泳動素子は前記電気泳動粒子を封入したカプセル状であり、接着剤層を介して前記第１の電極上に配置され、
隣り合う前記第１の電極の間の領域に、前記接着剤層よりも電気抵抗の大きい材料で形成された絶縁層が形成され、前記絶縁層が前記第１の電極の上面よりも前記電気泳動素子側に突出している電気泳動表示装置において、
前記絶縁層は、隣り合う前記第１の電極の上面同士を跨ぐ底辺部より前記電気泳動素子側の上辺部が短い断面形状からなり、
前記接着剤層は、前記絶縁層の前記電気泳動素子側に積層されていることを特徴とする電気泳動表示装置。
【請求項２】
請求項１に記載の電気泳動表示装置において、
前記絶縁層は、隣り合う前記第１の電極の上面同士にわたって形成されていることを特徴とする電気泳動表示装置。
【請求項３】
請求項１又は２に記載の電気泳動表示装置において、
前記絶縁層は、アクリル樹脂又はポリイミド樹脂からなることを特徴とする電気泳動表示装置。
【請求項４】
請求項１〜３のいずれか１項に記載の電気泳動表示装置を備えたことを特徴とする電子機器。
【発明の詳細な説明】
【技術分野】
【０００１】
本発明は、電気泳動素子を備えた電気泳動表示装置に関するものである。
【背景技術】
【０００２】
従来、液相分散媒と電気泳動粒子とを含む電気泳動分散液を有し、電界を印加することにより、電気泳動粒子の分布状態が変化して電気泳動分散液の光学特性が変化することを利用した、電気泳動表示装置が知られている。
【０００３】
電気泳動表示装置で画像を表示させるためには、スイッチング素子を介して、メモリ回路に一旦画像信号を記憶させる。メモリ回路で記憶した画像信号は第１の電極に直接入力され、第１の電極に電位を与えると、第２の電極との間で電位差が発生する。これによって電気泳動素子を駆動させて、画像を表示させることができる（特許文献１）。
【特許文献１】特開２００３−８４３１４号公報
【発明の開示】
【発明が解決しようとする課題】
【０００４】
ところで、この電気泳動表示装置で画像を表示させるためには、電気泳動表示素子を挟持する電極の間に十分な電位差を与えなくてはならないため、メモリ回路の電源電圧は１０Ｖ以上が必要である。このとき、隣り合う画素で異なった色を表示していると、隣り合う画素の第１の電極には異なった電位が入力され、隣り合う第１の電極の間では大きな電位差が発生するので、電気泳動素子を基板に固定している接着剤などを介して、隣り合う第１の電極の間でリーク電流が流れる。１画素あたりのリーク電流が小さくても、電気泳動表示装置の表示部全体としては大きくなり、消費電力の増大につながる。また、リーク電流の発生によって第１の電極が化学反応を起こす可能性があり、電気泳動表示装置としての信頼性が損なわれる可能性がある。
【０００５】
このような問題点を解決するために、本出願人は、例えば特願２００７−０８７６６８号において、隣り合う第１の電極の間でリーク電流が流れることを抑制するために、隣り合う前記第１の電極の間の領域に絶縁層を形成する技術を開示している。
【０００６】
しかしながら、特願２００７−０８７６６８号の技術は、隣り合う第１の電極の間の領域に絶縁層を形成することにより、前記第１の電極の間でリーク電流が流れることを抑制する方法であり、よりリーク電流を抑制するためには絶縁層の高さをより高くする必要がある。そこで、前記絶縁層が高くなると対向基板との接着時に接着剤の粘性により、前記絶縁層上に必要以上に接着剤が堆積し、前記絶縁層が配置された領域と前記第１の電極が配置された領域との間に凹凸が生じ、画像表示面にムラを発生させてしまう場合がある。また、前記対向基板との接着時に高い圧力で圧着する必要があり、製造上成形が困難な問題が生じる場合がある。
【０００７】
本発明はこのような事情に鑑みてなされたものであって、隣り合う第１の電極の間でリーク電流が流れることを抑制する構造を提供することを目的とする。
【課題を解決するための手段】
【０００８】
上記の課題を解決するため、本発明の電気泳動表示装置は、第１の電極と、前記第１の電極と対向する第２の電極と、前記第１の電極と前記第２の電極とで挟持され帯電した電気泳動粒子を有する電気泳動素子とを備えた画素を平面的に配列してなり、前記電気泳動素子は、接着剤層を介して前記第１の電極上に配置され、隣り合う前記第１の電極の間の領域に、前記接着剤層よりも電気抵抗の大きい材料で形成された絶縁層が形成され、前記絶縁層が前記第１の電極の上面よりも前記電気泳動素子側に突出している電気泳動表示装置において、前記絶縁層は、隣り合う前記第１の電極の上面同士を跨ぐ底辺部より前記電気泳動素子側の上辺部が短い断面形状からなり、前記接着剤層は、前記絶縁層の前記電気泳動素子側に積層されていることを特徴とする。
また、本発明の電気泳動表示装置は、第１の電極と、前記第１の電極と対向する第２の電極と、前記第１の電極と前記第２の電極とで挟持され帯電した電気泳動粒子を有する電気泳動素子とを備えた画素を平面的に配列してなり、前記電気泳動素子は前記電気泳動粒子を封入したカプセル状であり、接着剤層を介して前記第１の電極上に配置され、隣り合う前記第１の電極の間の領域に、前記接着剤層よりも電気抵抗の大きい材料で形成された絶縁層が形成され、前記絶縁層が前記第１の電極の上面よりも前記電気泳動素子側に突出している電気泳動表示装置において、前記絶縁層は、隣り合う前記第１の電極の上面同士を跨ぐ底辺部より前記電気泳動素子側の上辺部が短い断面形状からなることを特徴とする。
この構成によれば、前記第１の電極の間に形成した前記絶縁層がリーク電流を遮断するので、前記第１の電極間のリーク電流の発生を抑え、製品の信頼度を向上させた電気泳動表示装置とすることができる。特に、本発明の電気泳動表示装置では、前記絶縁層が、隣り合う前記第１の電極の上面同士を跨ぐ底辺部より前記電気泳動素子側の上辺部が短い断面形状を有するため、前記第１の電極間のリーク経路を長くすることができ、リーク電流が流れにくくなる。また、前記絶縁層が前記斜辺部に沿って前記第１の電極の方向に接着層を押しのけ易い形状をしているため、前記絶縁層の上面部に接着剤層が厚く堆積するのを抑え、前記絶縁層と前記電極の間に凹凸が生じ難く、画像表示時のムラの発生を抑えた電気泳動表示装置とすることができる。さらに、前記対向基板との接着時の圧力が低くすることができるので、製造上成形が容易となり、生産性の高い電気泳動表示装置となる。
【０００９】
本発明においては、前記絶縁層は、隣り合う前記第１の電極の上面同士にわたって形成されていることが望ましい。
この構成によれば、前記第１の電極の上面と側端面とが前記絶縁層に覆われるので、前記絶縁層が前記第１の電極の側端面のみに形成される場合に比べて、リーク経路が長くなってリーク電流が流れにくい電気泳動表示装置とすることができる。
【００１０】
本発明においては、前記絶縁層は、アクリル樹脂又はポリイミド樹脂からなることが望ましい。
この構成によれば、誘電率が無機材料に比べて小さい（前記接着剤層に近い）ので、前記第１の電極上において前記絶縁層が配置されない部分（前記接着剤層のみが配置される前期第１の電極の中央部）と前記絶縁層が配置される部分（前記絶縁層と前記接着剤層とが積層される前期第１の電極の周縁部）との平均の誘電率を互いに一致させることができる。そのため、前記電気泳動素子に印加される電圧の大きさを前記第１の電極の形成領域内全体で略均一化でき、前期第１の電極の中央部と周縁部とで画像の表示が不均一になるという問題を防止することができる。また、有機材料は、インクジェット法、スピンコート法等の湿式成膜法を用いることにより比較的厚膜に形成できるので、前記絶縁層の膜厚を厚く（高く）し易い、すなわち、リーク電流の発生を防止し易い電気泳動表示装置とすることができる。
【００１１】
本発明の電子機器は、前述した本発明の電気泳動表示装置を備えていることを特徴とする。
この構成によれば、画素間のリーク電流の発生を抑え、製品の信頼度を向上させた電子機器とすることができる。
【発明を実施するための最良の形態】
【００１２】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００１３】
図１（ａ）は本発明の一実施形態に係る電気泳動表示装置１Ａの表示部３の部分断面図である。表示部３は、画素電極２１を備えた素子基板２８と、共通電極２２を備えた対向基板２９と、画素電極２１と共通電極２２との間で挟持された電気泳動素子２３とを備えている。電気泳動素子２３は、複数のマイクロカプセル４０により構成されており、接着剤層３０にて素子基板２８と対向基板２９との間で固定されている。なお、表示部３は、電気泳動表示装置１Ａの一部分であり、駆動回路その他の付帯機器が付設されるが、図１（ａ）ではそれらの図示は省略している。
【００１４】
素子基板２８上には、画素電極２１が形成され、画素電極２１はそれぞれの画素ごとに矩形に形成されている。画素電極２１の間には、絶縁層３１Ａが形成されている。絶縁層３１Ａは、隣り合う画素電極２１の間の領域、及び画素電極２１の周縁部を覆って形成されている。素子基板２８は、例えばガラスやプラスティックなどの材料を矩形に成型した基板である。
【００１５】
対向基板２９上には、共通電極２２が形成されている。共通電極２２は透光性と導電性とを備えた材質が用いられ、例えばＭｇＡｇ（マグネシウム銀）、ＩＴＯ（インジウム・スズ酸化物）、ＩＺＯ（登録商標、インジウム・亜鉛酸化物）等が挙げられる。対向基板２９は、画像表示側となるため、例えばガラス等の透光性を持つ材質を矩形状に形成させたものである。
【００１６】
図１（ｂ）は絶縁層３１Ａを備えた素子基板２８側の拡大図である。絶縁層３１Ａは、隣り合う画素電極２１の間の領域に形成され、画素電極２１と同じ厚みを有して画素電極２１間を埋める本体部と、該本体部上に配置され画素電極２１の上面から電気泳動素子２３側に突出する突出部とを有している。突出部は、画素電極２１の上面同士を跨ぐ底辺部３１２Ａ（図１（ｂ）に示した破線部）と、電気泳動素子２３側に頂点を備え、底辺部３１２Ａと頂点を結ぶ斜辺部３１１Ａからなる三角形の断面形状を有している。底辺部３１２Ａの長さは、画素電極２１間の長さと同じでも良く、それよりも長くても良い。図１（ｂ）では、底辺部３１２Ａの長さを画素電極２１間の長さよりも長くしている。なお、図１（ｂ）では図２に示したＳ１−Ｓ１線、Ｓ２−Ｓ２線に沿った断面構成を示している。
【００１７】
本実施形態では、絶縁層３１Ａの斜辺部３１１Ａを利用して、画素電極２１間のリーク経路を長くすることができ、リーク電流の発生を抑えることができる。また、対向基板２９との接着時に、接着剤の粘性を利用して絶縁層３１Ａの斜辺部３１１Ａに沿って画素電極２１の上面の方向３０Ｄに、接着剤層３０を押しのけ易い形状をしており、電気泳動素子２３側に頂点を備えていることから、接着剤層３０が必要以上に堆積するのを抑え、絶縁層３１Ａと画素電極２１の間に凹凸が生じにくく、画像表示時のムラの発生を抑え、対向基板２９との接着時の圧力を低くすることができる。
【００１８】
絶縁層３１Ａは、接着剤層３０より電気抵抗の大きい材料で形成されている。例えば、アクリル、ポリカーボネート、ＰＭＭＡ（ポリメタクリル酸メチル）などの樹脂膜、ＳｉＯ２、Ｓｉ３Ｎ４、ＳｉＮｘ、ＳｉＯＮ、Ａｌ２Ｏ３などの無機膜が用いられる。また、絶縁層３１Ａの薄膜形成方法としては、ＣＶＤ法、蒸着法、スピンコート法などがある。薄膜形成後、ウエットエッチング法などの開口処理により画素電極２１上の領域を開口して形成される。
【００１９】
より具体的には、絶縁層３１Ａの材料として、ＳｉＯ２（誘電率は３．７〜４．１）やＳｉＮ（誘電率は約７）が好適に用いられる。これらの材料は、絶縁性が高く電流のリークが少ないという特徴がある。絶縁層３１Ａの形成方法としては、ＣＶＤ法が好適に用いられ、ＣＶＤ法でＳｉＯ２やＳｉＮの薄膜を形成した後、画素電極同士の境界部にエッチングマスクを形成し、選択的にエッチング処理を行うことにより絶縁層３１Ａの斜辺部３１１Ａの形状が形成される。
【００２０】
エッチング処理として、等方性ウエットエッチングやドライエッチングを用いることができる。ウエットエッチングの特徴としては、選択比が大きいこと、生産性が高いことが挙げられ、エッチングマスクの裏面側へのエッチング液の回り込みや、エッチング液組成比、成膜条件等のパラメータを制御することにより、所望の突起形状を形成することができる。ドライエッチングの特徴としては、絶縁層３１Ａの斜辺部３１１Ａの形状制御性が良いこと、加工寸法精度が良いことが挙げられ、エッチングマスクの形状、プラズマ条件（電極間距離、ガス比、放電パワー、圧力、時間）等のパラメータを制御することにより、所望の突起形状を形成することができる。
【００２１】
絶縁層３１Ａの材料として有機材料を用いる場合には、アクリル樹脂（誘電率は２．７〜４．５）やポリイミド樹脂（誘電率は３．２〜３．４）が好適に用いられる。これらの材料は、誘電率が無機材料に比べて小さい（接着剤層３０に近い）ので、画素電極２１上において絶縁層３１Ａが配置されない部分（接着剤層３０のみが配置される画素電極の中央部）と絶縁層３１Ａが配置される部分（絶縁層３１Ａと接着剤層３０とが積層される画素電極の周縁部）との平均の誘電率を互いに一致させることができる。そのため、電気泳動素子２３に印加される電圧の大きさを画素電極の形成領域内全体で略均一化でき、画素電極の中央部と周縁部とで画像の表示が不均一になるという問題を防止することができる。また、有機材料は、インクジェット法、スピンコート法等の湿式成膜法を用いることにより比較的厚膜に形成できるので、絶縁層３１Ａの膜厚を厚く（高く）し易い、すなわち、リーク電流の発生を防止し易いという特徴がある。絶縁層３１Ａは、スピンコート法、インクジェット法等の湿式成膜法により材料膜を形成した後、現像により開口処理され絶縁層３１Ａの斜辺部３１１Ａの形状が形成される。このとき現像条件を制御することにより、所望の突起形状が形成される。
【００２２】
図２は、絶縁層３１Ａ及び画素電極２１のみを示した表示部３の平面図である。絶縁層３１Ａは、画素電極２１間の領域に沿って、平面視格子状に形成されている。絶縁層３１Ａは、画素電極２１の上面部を枠状に縁取るように一部が画素電極２１上に形成されている。
【００２３】
本実施形態では、絶縁層３１Ａの断面形状は三角形としているが、縦方向と横方向に平面視格子状に形成された絶縁層３１Ａの交差部（例えば、図２に示したＳ３−Ｓ３線に沿った断面部）においては、他の部位よりも画素電極２１間の経路が長いことからこの限りではない。
【００２４】
（リーク電流の抑制）
図３は、図１の表示部３の隣り合う画素の模式図である。
【００２５】
隣り合う画素電極２１（２１ａ，２１ｂ）には異なる電位が入力されている。例えば、左側の画素電極２１ａにはハイレベルが入力され、右側の画素電極２１ｂにはローレベルが入力されている。そのため、左側の画素２Ａでは黒色が表示され、右側の画素２Ｂでは白色が表示されている。
【００２６】
このとき、画素電極２１ａ、２１ｂの間には大きな電位差による電場が発生しているので、接着剤層３０を介してリーク電流を流そうとするが、画素電極２１間には絶縁層３１が形成されているので、画素電極２１ａの側面から画素電極２１ｂの側面に向かうリーク電流の経路は遮断される。
【００２７】
よりリーク電流を抑制するためには絶縁層３１Ａの高さをより高く形成することが考えられるが、この場合、対向基板２２との接着時に接着剤の粘性により、絶縁層３１Ａに必要以上に接着剤層３０が堆積し、絶縁層３１Ａと画素電極２１の間に凹凸が生じ、画像表示面にムラを発生させてしまう場合がある。また、対向基板２２との接着時に高い圧力で圧着する必要があり、製造上成形が困難な問題が生じる場合がある。これに対して本実施形態の電気泳動表示装置１Ａでは、画素電極２１の間の絶縁層３１Ａの断面形状を三角形にしたので、例えば絶縁層３１Ａでは斜辺部３１１Ａを利用してリーク経路を長くすることができ、絶縁層の高さを高くすることなくリーク電流を抑えることができる。
【００２８】
すなわち、画素電極２１間に絶縁層３１Ａが充填されると共に、絶縁層３１Ａの上面が、画素電極２１の上面から電気泳動素子２３側に突出していることで、絶縁層３１Ａの上側を回り込むリーク電流を遮断でき、よりリーク電流の少ない電気泳動表示装置１Ａが提供できる。特に、絶縁層３１Ａが画素電極２１の上面同士にわたって形成されている場合、すなわち、底辺部３１２Ａの長さが画素電極間の長さよりも大きい場合には、リーク経路が更に長くなるので、好適である。
【００２９】
（変形例１）
図４（ａ）は、電気泳動表示装置１Ｂの他の構成例を示す部分断面図である。なお、図１に示した電気泳動表示装置１Ａと同様の構成については、同一の符号を付し、詳細な説明は省略する。
【００３０】
図４（ｂ）は絶縁層３１Ｂを備えた素子基板２８側の拡大図である。絶縁層３１Ｂは、隣り合う画素電極２１の間の領域に形成され、画素電極２１と同じ厚みを有して画素電極２１間を埋める本体部と、該本体部上に配置され画素電極２１の上面から電気泳動素子２３側に突出する突出部とを有している。突出部は、画素電極２１の上面同士を跨ぐ底辺部３１２Ｂ（図４（ｂ）に示した破線部）と、電気泳動素子２３側に先端部を備え、底辺部３１２Ｂと先端部とを結ぶＲ状のなだらかな斜辺部（曲辺部３１１Ｂ）と、からなる尖頭形の断面形状を有している。底辺部３１２Ｂの長さは、画素電極２１間の長さと同じでも良く、それよりも長くても良い。図４（ｂ）では、底辺部３１２Ｂの長さを画素電極２１間の長さよりも長くしている。曲辺部３１１Ｂは、突出部の内側に湾曲した湾曲形状を有しており、曲辺部３１１Ｂの接線と基板面との成す角度は、底辺部３１２Ｂから先端部に向かうにつれて徐々に大きくなるように形成されている。
【００３１】
本変形例では、斜辺部を直線ではなく曲線とすることで、斜辺部３１１Ａに対し画素電極２１間のリーク経路を長くすることができる。また、先端部が尖頭形であることから、絶縁層３１Ａの頂点に対し素子基板２８と対向基板２９とを接着する際に、接着剤を曲辺部３１１Ｂに沿って画素電極２１の上面の方向３０Ｄに押しのけ易い形状をしており、絶縁層３１Ａと画素電極２１の間に凹凸が生じ難いため、より画像表示時のムラの発生を抑えることができると共に、対向基板２９との接着時の圧力をより低くすることができる。
【００３２】
（変形例２）
図５（ａ）は、電気泳動表示装置１Ｃの他の構成例を示す部分断面図である。なお、図１に示した電気泳動表示装置１Ａと同様の構成については、同一の符号を付し、詳細な説明は省略する。
【００３３】
図５（ｂ）は絶縁層３１Ｃを備えた素子基板２８側の拡大図である。絶縁層３１Ｃは、隣り合う画素電極２１の間の領域に形成され、画素電極２１と同じ厚みを有して画素電極２１間を埋める本体部と、該本体部上に配置され画素電極２１の上面から電気泳動素子２３側に突出する突出部とを有している。突出部は、画素電極２１の上面同士を跨ぐ底辺部３１２Ｃ（図５（ｂ）に示した破線部）と、電気泳動素子２３側に上辺部３１３Ｃを備え、底辺部３１２Ｃと上辺部３１３Ｃとを結ぶ斜辺部３１１Ｃと、からなる台形の断面形状を有している。底辺部３１２Ｃの長さは、画素電極２１間の長さと同じでも良く、それよりも長くても良い。図５（ｂ）では、底辺部３１２Ｃの長さを画素電極２１間の長さよりも長くしている。
【００３４】
本変形例では、断面形状を台形とすることで、同じ高さで断面三角形状の絶縁層を形成する場合に比べて画素電極２１間のリーク経路を長くすることができる。また、上辺部３１３Ｃが略平坦面であることから、例えば絶縁層３１Ｃの外部から力が加わった場合に、前記三角形断面形状の頂点及び前記尖頭形断面の先端部に対し応力を分散させることができるため、絶縁層３１Ｃの欠け、剥がれ等を抑えることができる。
【００３５】
また、矩形の断面形状を有する絶縁層に比べて、素子基板２８と対向基板２９とを接着する際に、接着剤を斜辺部３１１Ｃに沿って画素電極２１の上面の方向３０Ｄに押しのけやすい形状をしており、絶縁層３１Ｃと画素電極２１の間に凹凸が生じ難いため、より画像表示時のムラの発生を抑えることができると共に、対向基板２９との接着時の圧力をより低くすることができる。
【００３６】
（変形例３）
図６（ａ）は、電気泳動表示装置１Ｄの他の構成例を示す部分断面図である。なお、図１に示した電気泳動表示装置１Ａと同様の構成については、同一の符号を付し、詳細な説明は省略する。
【００３７】
図６（ｂ）は絶縁層３１Ｄを備えた素子基板２８側の拡大図である。絶縁層３１Ｄは、隣り合う画素電極２１の間の領域に形成され、画素電極２１と同じ厚みを有して画素電極２１間を埋める本体部と、該本体部上に配置され画素電極２１の上面から電気泳動素子２３側に突出する突出部とを有している。突出部は、画素電極２１の上面同士を跨ぐ底辺部３１２Ｄ（図６（ｂ）に示した破線部）と、電気泳動素子２３側に上辺部３１３Ｄを備え、底辺部３１２Ｄと上辺部３１３Ｄとを結ぶ曲辺部３１１Ｄと、からなる末広形状の断面形状を有している。底辺部３１２Ｄの長さは、画素電極２１間の長さと同じでも良く、それよりも長くても良い。図６（ｂ）では、底辺部３１２Ｃの長さを画素電極２１間の長さよりも長くしている。曲辺部３１１Ｄは、突出部の内側に湾曲した湾曲形状を有しており、曲辺部３１１Ｄの接線と基板面との成す角度は、底辺部３１２Ｄから上辺部３１３Ｄに向かうにつれて徐々に大きくなるように形成されている。
【００３８】
本変形例では、断面形状を末広形状とし斜辺を曲辺とすることで、前記台形断面形状の斜辺部３１１Ｃを有する絶縁層よりも画素電極２１間のリーク経路を長くすることができる。また、上辺部３１３Ｄが略平坦面であることから、例えば絶縁層３１Ｄの外部から力が加わった場合に、前記三角形断面形状の頂点及び前記尖頭形断面の先端部を有する絶縁層に比べて、応力を分散させることができるため、絶縁層３１Ｄの欠け、剥がれ等を抑えることができる。
【００３９】
また、矩形の断面形状を有する絶縁層に比べて、素子基板２８と対向基板２９とを接着する際に、接着剤を曲辺部３１１Ｄに沿って画素電極２１の上面の方向３０Ｄに押しのけ易い形状をしており、絶縁層３１Ｄと画素電極２１の間に凹凸が生じ難いため、より画像表示時のムラの発生を抑えることができると共に、対向基板２９との接着時の圧力をより低くすることができる。
【００４０】
（電子機器）
図７は、本発明の電気泳動表示装置１Ａを用いた電子機器の一例である電子ノート１１００の斜視図である。電子ノート１１００は、電子ペーパ１０００が複数枚束ねられ、カバー１１０１に挟まれているものである。カバー１１０１は、例えば外部の装置から送られる表示データを入力する表示データ入力手段（図示は省略）を備える。これにより、その表示データに応じて、電子ペーパ１０００が束ねられた状態のまま、表示内容を変更したり更新したりできる。
【００４１】
また、上述した例に加えて、他の例として、ビューファインダ型やモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。本発明に係る電気泳動表示装置は、こうした電子機器の表示部としても適用することができる。
【図面の簡単な説明】
【００４２】
【図１】電気泳動表示装置の部分断面図である。
【図２】素子基板の部分平面図である。
【図３】隣り合う画素の模式図である。
【図４】電気泳動表示装置の第１変形例の部分断面図である。
【図５】電気泳動表示装置の第２変形例の部分断面図である。
【図６】電気泳動表示装置の第３変形例の部分断面図である。
【図７】電子機器の一例である電子ノートの斜視図である。
【符号の説明】
【００４３】
１Ａ，１Ｂ，１Ｃ，１Ｄ…電気泳動表示装置、２１…画素電極（第１の電極）、２２…共通電極（第２の電極）、２３…電気泳動素子、３０…接着剤層、３１Ａ，３１Ｂ，３１Ｃ，３１Ｄ…絶縁層、４０…マイクロカプセル、３１２Ａ，３１２Ｂ，３１２Ｃ，３１２Ｄ…底辺部、３１３Ｃ，３１３Ｄ…上辺部、１１００…電子ノート（電子機器）
【図１】
0005195013.tif 000002
【図２】
0005195013.tif 000003
【図３】
0005195013.tif 000004
【図４】
0005195013.tif 000005
【図５】
0005195013.tif 000006
【図６】
0005195013.tif 000007
【図７】
0005195013.tif 000008